(57)【特許請求の範囲】
【請求項１】
点火用燃料が噴射される点火用バーナガンと、該点火用バーナガンの近傍に配設され且つ点火用バーナガンに対する点火を行うための点火栓と、前記点火用バーナガンと点火栓の先端部外周を包囲するように配設される保炎用のディフューザとを備え、主バーナの先端部近傍に挿入配置された状態で、主バーナに対する点火を行うための点火バーナ装置において、
ディフューザの点火栓先端部近傍に、燃焼用空気の一部をディフューザ内へ導入するための開口部を形成すると共に、前記ディフューザ内に、前記開口部から導入される燃焼用空気を冷却用空気として点火栓先端へ導くための筒状体を、点火栓を包囲するように配設したことを特徴とする点火バーナ装置。
【発明の詳細な説明】
【０００１】
【発明の属する技術分野】
本発明は、点火バーナ装置に関するものである。
【０００２】
【従来の技術】
図４はボイラの一例を示したものであって、図４中、１は火炉、２は火炉１に副側壁３を介し接続された後部伝熱部、４は火炉１の外周部に多段に設けられた主バーナ、５は主バーナ４を包囲し該主バーナ４の燃料噴射部分に燃焼用空気を導くためのウインドボックス、６はウインドボックス５に接続された空気供給用ダクト、７は排ガスを排出するための排ガスダクトである。
【０００３】
このようなボイラにおいては、主バーナ４から燃料を噴射させると共に燃焼用空気を空気供給用ダクト６からウインドボックス５内へ導入し、燃料と燃焼用空気とを混合させた状態で着火を行い、火炉１内で燃料の燃焼が行われるようになっており、前記火炉１内での燃料の燃焼により生じた燃焼ガスは、前記火炉１から副側壁３内を通り後部伝熱部２に送られて、排ガスとして排ガスダクト７から排出される。
【０００４】
前述の如きボイラの場合、主バーナ４としては、重油等の燃料を霧状にして噴射するものや微粉炭を噴出するものが使用されているが、重油等の燃料を霧状にして噴射する主バーナ４及びその周辺の構造は図５に示されるようになっている。
【０００５】
即ち、ウインドボックス５の壁部分を形成する正面板８の主バーナ４配設位置に、ローラ９ａを介して主バーナ４を支持し得るバーナ支持台９が設けてあり、火炉１の炉壁１０に形成されたバーナスロート部１１に先端部が位置する主バーナ４が、前記正面板８に対して垂直となるように前記バーナ支持台９に支持されている。
【０００６】
正面板８を貫通して配置されている主バーナ４の先端部には、複数の噴孔を有するバーナチップ１２が装着され、前記主バーナ４の後端部には、バーナ支持台９に支持された主バーナ４を軸方向に押し引き可能なエアシリンダ１５が接続配置されていると共に、燃料供給弁１３ａを備えた燃料供給管１３及び噴霧媒体供給弁１４ａを備えた噴霧媒体供給管１４が夫々接続されている。
【０００７】
又、正面板８には、該正面板８より火炉１側の主バーナ４の略全体を包囲する外筒１６が設けられている。
【０００８】
更に、バーナスロート部１１には、開度調整可能なレジスタベーン１７を備え且つ二次空気（燃焼用空気）ａを吹き込むための二次空気吹込口１８が形成されていると共に、前記外筒１６の後端部（反火炉１側位置）には、三次空気（火炎調整用補助空気）ｂを供給するための三次空気導入口１９が設けられている。
【０００９】
尚、図５中、２０は点火バーナ、２１は整流筒、ｃはバーナガンシール空気である。
【００１０】
前述の如き主バーナ４においては、燃料供給弁１３ａ及び噴霧媒体供給弁１４ａを開放して主バーナ４内に燃料（例えば重油）と噴霧媒体（例えば蒸気）を送り込み、重油と蒸気とを混合させて蒸気の圧力でバーナチップ１２の噴孔から燃料を霧状に噴射させ、且つウインドボックス５内へ導入した二次空気ａを二次空気吹込口１８からバーナスロート部１１に導いて前記燃料と混合させ、点火バーナ２０により主バーナ４に着火し火炎の形成を行わせると共に、レジスタベーン１７を調整することにより主バーナ４の安定燃焼を行っている。
【００１１】
従来の点火バーナ２０は、図６及び図７に示される如く、軽油等の点火用燃料が空気等の噴霧媒体の圧力によって霧状に噴射される点火用バーナガン２２と、該点火用バーナガン２２の近傍に配設され且つ点火用バーナガン２２に対する点火を行うための点火栓２３と、前記点火用バーナガン２２と点火栓２３の先端部外周を包囲するように配設される保炎用のディフューザ２４とを備えてなる構成を有している。
【００１２】
前記ディフューザ２４は、点火用バーナガン２２と点火栓２３の先端部外周を包囲する円筒状のディフューザ本体２４ａと、該ディフューザ本体２４ａの基端に一体化された閉鎖板２４ｂとからなり、該閉鎖板２４ｂに対して点火用バーナガン２２のジャケットチューブ２２ａを貫通させて一体に固着すると共に、該ジャケットチューブ２２ａの先端に嵌着したリング２２ｂから図７に示される如く逆ハの字状に張り出したサポート部材２５の上端をディフューザ本体２４ａ内周面に固着してある。又、前記閉鎖板２４ｂには、点火栓２３が挿入される挿入孔２６を穿設すると共に、点火用バーナガン２２の着火燃焼用の空気を供給するための多数の空気供給孔２７を穿設してある。
【００１３】
図６及び図７に示される点火バーナ２０においては、図６中実線で示される状態で、点火用バーナガン２２から軽油等の点火用燃料を空気等の噴霧媒体の圧力によって霧状に噴射しつつ、点火栓２３のスパークにより着火を行い、点火用バーナガン２２による火炎を形成した後、点火栓２３の位置はそのままにして点火用バーナガン２２とディフューザ２４とを図６中仮想線で示される位置まで前進させ、点火用バーナガン２２による火炎が点火栓２３に直接当らないようにすると共に、ウインドボックス５内における二次空気吹込口１８からバーナスロート部１１へ勢いよく流入する燃焼用空気としての二次空気ａ（図５参照）によって前記点火用バーナガン２２の火炎が消されてしまうことをディフューザ２４によって防止し、前記点火用バーナガン２２の火炎を維持した状態で、前記主バーナ４に対する点火を行うようになっている。
【００１４】
【発明が解決しようとする課題】
前述の如き従来の点火バーナ２０では、ディフューザ２４の閉鎖板２４ｂには、点火用バーナガン２２の着火燃焼用の空気を供給するための多数の空気供給孔２７を穿設してあるが、実際の運転時には、点火用バーナガン２２の火炎による熱がディフューザ２４内にこもってしまい、点火栓２３の先端部の温度がかなりの温度（およそ１０００℃程度）まで上昇し、点火栓２３の寿命が低下するという欠点を有していた。
【００１５】
本発明は、斯かる実情に鑑み、点火用バーナガンの火炎による熱がディフューザ内にこもってしまうことを防止し、点火栓の先端部の温度上昇を抑制し得、点火栓の長寿命化を図り得る点火バーナ装置を提供しようとするものである。
【００１６】
【課題を解決するための手段】
本発明は、点火用燃料が噴射される点火用バーナガンと、該点火用バーナガンの近傍に配設され且つ点火用バーナガンに対する点火を行うための点火栓と、前記点火用バーナガンと点火栓の先端部外周を包囲するように配設される保炎用のディフューザとを備え、主バーナの先端部近傍に挿入配置された状態で、主バーナに対する点火を行うための点火バーナ装置において、
ディフューザの点火栓先端部近傍に、燃焼用空気の一部をディフューザ内へ導入するための開口部を形成すると共に、前記ディフューザ内に、前記開口部から導入される燃焼用空気を冷却用空気として点火栓先端へ導くための筒状体を、点火栓を包囲するように配設したことを特徴とする点火バーナ装置にかかるものである。
【００１７】
上記手段によれば、以下のような作用が得られる。
【００１８】
点火用バーナガンから点火用燃料を噴射しつつ、点火栓のスパークにより着火を行い、点火用バーナガンによる火炎を形成した後、該点火用バーナガンの火炎を維持した状態で、主バーナに対する点火が行われるが、この時、ディフューザ内には開口部から燃焼用空気の一部が導入され、該開口部から導入される燃焼用空気は、冷却用空気として筒状体に沿い点火栓先端へ導かれる。
【００１９】
この結果、点火栓の先端部は、冷却用空気として導入される燃焼用空気の一部によって効率よく冷却されることとなり、点火用バーナガンの火炎による熱がディフューザ内にこもってしまうことがなくなり、点火栓の先端部の温度は低い温度に抑えられ、点火栓の寿命が低下しなくなる。
【００２０】
【発明の実施の形態】
以下、本発明の実施の形態を図示例と共に説明する。
【００２１】
図１〜図３は本発明を実施する形態の一例であって、図中、図６及び図７と同一の符号を付した部分は同一物を表わしており、基本的な構成は図６及び図７に示す従来のものと同様であるが、本図示例の特徴とするところは、図１〜図３に示す如く、ディフューザ２４の点火栓２３先端部近傍に、燃焼用空気の一部をディフューザ２４内へ導入するための開口部２８を形成すると共に、前記ディフューザ２４内に、前記開口部２８から導入される燃焼用空気を冷却用空気として点火栓２３先端へ導くための筒状体２９を、点火栓２３を包囲するように配設した点にある。
【００２２】
次に、上記図示例の作動を説明する。
【００２３】
図１中実線で示される状態で、点火用バーナガン２２から軽油等の点火用燃料を空気等の噴霧媒体の圧力によって霧状に噴射しつつ、点火栓２３のスパークにより着火を行い、点火用バーナガン２２による火炎を形成した後、点火栓２３の位置はそのままにして点火用バーナガン２２とディフューザ２４とを図１中仮想線で示される位置まで前進させ、点火用バーナガン２２による火炎が点火栓２３に直接当らないようにすると共に、ウインドボックス５内における二次空気吹込口１８からバーナスロート部１１へ勢いよく流入する燃焼用空気としての二次空気ａ（図５参照）によって前記点火用バーナガン２２の火炎が消されてしまうことをディフューザ２４によって防止し、前記点火用バーナガン２２の火炎を維持した状態で、前記主バーナ４に対する点火が行われるが、この時、前記ディフューザ２４内には開口部２８から燃焼用空気の一部が導入され、該開口部２８から導入される燃焼用空気は、冷却用空気として筒状体２９に沿い点火栓２３先端へ導かれる。
【００２４】
この結果、点火栓２３の先端部は、冷却用空気として導入される燃焼用空気の一部によって効率よく冷却されることとなり、点火用バーナガン２２の火炎による熱がディフューザ２４内にこもってしまうことがなくなり、点火栓２３の先端部の温度は低い温度（およそ６００℃程度）に抑えられ、点火栓２３の寿命が低下しなくなる。
【００２５】
こうして、点火用バーナガン２２の火炎による熱がディフューザ２４内にこもってしまうことを防止し、点火栓２３の先端部の温度上昇を抑制し得、点火栓２３の長寿命化を図り得る。
【００２６】
尚、本発明の点火バーナ装置は、上述の図示例にのみ限定されるものではなく、本発明の要旨を逸脱しない範囲内において種々変更を加え得ることは勿論である。
【００２７】
【発明の効果】
以上、説明したように本発明の点火バーナ装置によれば、点火用バーナガンの火炎による熱がディフューザ内にこもってしまうことを防止し、点火栓の先端部の温度上昇を抑制し得、点火栓の長寿命化を図り得るという優れた効果を奏し得る。
【図面の簡単な説明】
【図１】本発明を実施する形態の一例の側断面図である。
【図２】図１のＩＩ−ＩＩ矢視図である。
【図３】図１のＩＩＩ−ＩＩＩ断面図である。
【図４】一般的なボイラの概略図である。
【図５】図４のボイラに用いられる主バーナ及びその周辺構造の一例を示す側断面図である。
【図６】従来の点火バーナ装置の一例を表わす側断面図である。
【図７】図６のＶＩＩ−ＶＩＩ矢視図である。
【符号の説明】
４          主バーナ
２０          点火バーナ
２２          点火用バーナガン
２３          点火栓
２４          ディフューザ
２８          開口部
２９          筒状体
【図１】
0003840763.tif 000002
【図２】
0003840763.tif 000003
【図３】
0003840763.tif 000004
【図４】
0003840763.tif 000005
【図５】
0003840763.tif 000006
【図６】
0003840763.tif 000007
【図７】
0003840763.tif 000008